【手続補正書】
【提出日】平成22年6月21日(2010.6.21)
【手続補正１】
【補正対象書類名】特許請求の範囲
【補正対象項目名】全文
【補正方法】変更
【補正の内容】
【特許請求の範囲】
【請求項１】
少なくとも２つの送信アンテナが設けられた少なくとも１つの送信機と、少なくとも１つの受信アンテナが設けられた少なくとも１つの受信機とを含む通信システムにおけるデータ送信方法であって、
前記送信機において、送信されるべき前記データの複数のビットを変調することにより、前記データの前記複数のビットを複数のシンボルに変換する工程と、
前記送信機において、前記複数のシンボルによって形成される第１のベクトルを生成する工程と、
前記送信機において、前記第１のベクトルの成分の数に基づき、予め定義された元の行列を変更することにより、変更された行列を準備する工程と、
前記送信機において、前記第１のベクトルを前記変更された行列で乗算することによって第２のベクトルを生成する工程と、
前記送信機において、前記第２のベクトルを形成するシンボルを、前記送信機の前記少なくとも２つの送信アンテナと前記受信機の前記少なくとも１つの受信アンテナとの間に確立された通信チャネルを介して送信する工程と
を含むデータ送信方法。
【請求項２】
データを送信するための少なくとも２つの送信アンテナを含む無線通信デバイスによって実行される方法であって、
送信されるべき前記データの複数のビットを変調することにより、前記データの前記複数のビットを複数のシンボルに変換する工程と、
前記複数のシンボルによって形成される第１のベクトルを生成する工程と、
前記第１のベクトルの成分の数に基づき、予め定義された元の行列を変更することにより、変更された行列を準備する工程と、
前記第１のベクトルを前記変更された行列で乗算することによって第２のベクトルを生成する工程と、
前記第２のベクトルを形成するシンボルを、前記少なくとも２つの送信アンテナと受信装置の少なくとも１つの受信アンテナとの間に確立された通信チャネルを介して送信する工程と
を含む方法。
【請求項３】
少なくとも２つの送信アンテナによってデータを送信するための無線通信デバイスであって、
送信されるべき前記データの複数のビットを変調することにより、前記データの前記複数のビットを複数のシンボルに変換する変調手段と、
前記複数のシンボルによって形成される第１のベクトルを生成する第１ベクトル生成手段と、
前記第１のベクトルの成分の数に基づき、予め定義された元の行列を変更することにより、変更された行列を生成する変更行列生成手段と、
前記第１のベクトルを前記変更された行列で乗算することによって第２のベクトルを生成する第２ベクトル生成手段と、
前記第２のベクトルを形成するシンボルを、前記少なくとも２つの送信アンテナと受信装置の少なくとも１つの受信アンテナとの間に確立された通信チャネルを介して送信する送信手段と
を含む無線通信デバイス。
【手続補正２】
【補正対象書類名】明細書
【補正対象項目名】発明の名称
【補正方法】変更
【補正の内容】
【発明の名称】通信システムにおけるデータ送信方法、無線通信デバイスによって実行される方法、および無線通信デバイス
【手続補正３】
【補正対象書類名】明細書
【補正対象項目名】０００８
【補正方法】変更
【補正の内容】
【０００８】
第１の発明は、少なくとも２つの送信アンテナが設けられた少なくとも１つの送信機と、少なくとも１つの受信アンテナが設けられた少なくとも１つの受信機とを含む通信システムにおけるデータ送信方法に関する。この方法は、送信されるべきデータの複数のビットを、送信機において変調することにより、データの複数のビットを複数のシンボルに変換する工程と、送信機において、複数のシンボルによって形成される第１のベクトルを生成する工程と、送信機において、第１のベクトルの成分の数に基づき、予め定義された元の行列を変更することにより、変更された行列を準備する工程と、送信機において第１のベクトルを変更された行列で乗算することによって第２のベクトルを生成する工程と、送信機において、第２のベクトルを形成するシンボルを、送信機の少なくとも２つの送信アンテナと受信機の少なくとも１つの受信アンテナとの間に確立された通信チャネルを介して送信する工程とを含む。
【手続補正４】
【補正対象書類名】明細書
【補正対象項目名】０００９
【補正方法】変更
【補正の内容】
【０００９】
第２の発明は、データを送信するための少なくとも２つの送信アンテナを含む無線通信デバイスによって実行される方法に関する。この方法は、送信されるべきデータの複数のビットを変調することにより、データの複数のビットを無線通信デバイスにおいて複数のシンボルに変換する工程と、複数のシンボルによって形成される第１のベクトルを生成する工程と、第１のベクトルの成分の数に基づき、予め定義された元の行列を変更することにより、変更された行列を準備する工程と、第１のベクトルを変更された行列で乗算することによって第２のベクトルを生成する工程と、第２のベクトルを形成するシンボルを、少なくとも２つの送信アンテナと受信装置の少なくとも１つの受信アンテナとの間に確立された通信チャネルを介して送信する工程とを含む。
【手続補正５】
【補正対象書類名】明細書
【補正対象項目名】００１０
【補正方法】変更
【補正の内容】
【００１０】
第３の発明は、少なくとも２つの送信アンテナによってデータを送信するための無線通信デバイスに関する。このデバイスは、送信されるべきデータの複数のビットを変調することにより、データの複数のビットを複数のシンボルに変換する変調手段と、複数のシンボルによって形成される第１のベクトルを生成する第１ベクトル生成手段と、第１のベクトルの成分の数に基づき、予め定義された元の行列を変更することにより、変更された行列を生成する変更行列生成手段と、第１のベクトルを変更された行列で乗算することによって第２のベクトルを生成する第２ベクトル生成手段と、第２のベクトルから供給されるシンボルを、少なくとも２つの送信アンテナと受信装置の少なくとも１つの受信アンテナとの間に確立された通信チャネルを介して送信する送信手段とを含む。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】